(57)【要約】【課題】エレベータの乗りかご内に設置されたかご内階床表示器に異常が発生したときにも、乗りかご内の利用者に、当該乗りかごの位置情報を報知することが可能なエレベータ制御装置を提供する。【解決手段】実施形態によれば、エレベータの乗りかご内に設置されたかご内階床表示器およびかご内建物表示器に接続されたエレベータ制御装置が、処理部を備える。処理部は、通常時は、乗りかごの位置情報をかご内階床表示器に表示させるとともに、乗りかごの位置情報以外の利用者への提供情報をかご内建物表示器に表示させ、かご内階床表示器での異常が検出されると、かご内建物表示器に、乗りかごの位置情報を表示させる。【選択図】図１
2015168501.tif 000002
【特許請求の範囲】
【請求項１】
エレベータの乗りかご内に設置された、かご内階床表示器およびかご内建物表示器に接続されたエレベータ制御装置において、
通常時は、前記乗りかごの位置情報を前記かご内階床表示器に表示させるとともに、前記乗りかごの位置情報以外の利用者への提供情報を前記かご内建物表示器に表示させ、
前記かご内階床表示器での異常が検出されると、前記かご内建物表示器に、前記乗りかごの位置情報を表示させる処理部
を備えることを特徴とするエレベータ制御装置。
【請求項２】
前記処理部は、前記かご内階床表示器での異常が検出されると、前記かご内建物表示器に、前記かご位置情報と前記提供情報とを交互に表示させる
を備えることを特徴とする請求項１に記載のエレベータ制御装置。
【請求項３】
エレベータの乗りかご内に設置されたスピーカにさらに接続され、
前記処理部は、前記かご内階床表示器での異常が検出されると、前記乗りかごの位置情報を前記スピーカから音声出力させる
ことを特徴とする請求項１または２に記載のエレベータ制御装置。
【請求項４】
エレベータの乗りかご内に設置された、階床ごとの表示灯を有する案内板にさらに接続され、
前記処理部は、前記かご内階床表示器での異常が検出されると、前記乗りかごの位置情報に対応する階床の、前記案内板内の表示灯を点灯させる
ことを特徴とする請求項１〜３いずれか１項に記載のエレベータ制御装置。
【請求項５】
エレベータの乗りかご内に設置された、階床ごとの行き先階登録ボタンにそれぞれ複数個設置された、対応する行き先階登録ボタンの一部を点灯させる点灯装置にさらに接続され、
前記処理部は、前記かご内階床表示器での異常が検出されると、
前記乗りかごの位置情報に対応する階床の行き先階登録ボタンの一部を、対応する点灯装置により点灯させ、
利用者により操作された行き先階登録ボタンの他の一部を、対応する点灯装置により点灯させる
ことを特徴とする請求項１〜４いずれか１項に記載のエレベータ制御装置。
【請求項６】
前記乗りかごの位置情報に対応する階床の行き先階登録ボタンの一部を点灯させるときには、利用者により操作された行き先階の行き先階登録ボタンの他の一部を点灯させるときと、異なる点灯色で点灯させる
ことを特徴とする請求項５に記載のエレベータ制御装置。
【発明の詳細な説明】
【技術分野】
【０００１】
本発明の実施形態は、エレベータ制御装置に関する。
【背景技術】
【０００２】
従来、エレベータの乗りかご内には、かご位置情報を表示するためのかご内階床表示器が設置されている。
【０００３】
かご内階床表示器にかご位置情報を表示させることにより、乗りかご内の利用者は、現在乗りかごがどの階床に位置しているのかを認識することができ、自身の目的階に到着したか否かを判断することができる。
【先行技術文献】
【特許文献】
【０００４】
【特許文献１】特開２００１−１３９２４０号公報
【発明の概要】
【発明が解決しようとする課題】
【０００５】
しかし、かご内階床表示器の故障によりかご位置情報が表示されなくなると、乗りかご内の利用者がかご位置情報を把握することができなくなり、目的階に到着する前に降車してしまったり目的階で降車せず乗り過ごしてしまったりすることがあるという問題があった。
【０００６】
本発明は上記事情に鑑みてなされたものであり、エレベータの乗りかご内に設置されたかご内階床表示器に異常が発生したときにも、乗りかご内の利用者に、当該乗りかごの位置情報を報知することが可能なエレベータ制御装置を提供することを目的とする。
【課題を解決するための手段】
【０００７】
上記目的を達成するための実施形態によれば、エレベータの乗りかご内に設置されたかご内階床表示器およびかご内建物表示器に接続されたエレベータ制御装置が、処理部を備える。処理部は、通常時は、乗りかごの位置情報をかご内階床表示器に表示させるとともに、乗りかごの位置情報以外の利用者への提供情報をかご内建物表示器に表示させ、かご内階床表示器での異常が検出されると、かご内建物表示器に、乗りかごの位置情報を表示させる。
【図面の簡単な説明】
【０００８】
【図１】第１実施形態によるエレベータ制御装置を利用したエレベータシステムの構成を示すブロック図。
【図２】第１実施形態によるエレベータ制御装置を利用したエレベータシステムの動作を示すシーケンス図。
【図３】第２実施形態によるエレベータ制御装置を利用したエレベータシステムの構成を示すブロック図。
【図４】第２実施形態によるエレベータ制御装置を利用したエレベータシステムの動作を示すシーケンス図。
【図５】第３実施形態によるエレベータ制御装置を利用したエレベータシステムの構成を示すブロック図。
【図６】第３実施形態によるエレベータ制御装置を利用したエレベータシステムの動作を示すシーケンス図。
【図７】第４実施形態によるエレベータ制御装置を利用したエレベータシステムの構成を示すブロック図。
【図８】第４実施形態によるエレベータ制御装置を利用したエレベータシステムの動作を示すシーケンス図。
【図９】第４実施形態によるエレベータ制御装置によりかご位置情報に該当する階床の表示灯が点灯した状態を示す正面図。
【図１０】第５実施形態によるエレベータ制御装置を利用したエレベータシステムの構成を示すブロック図。
【図１１】第５実施形態によるエレベータ制御装置を利用したエレベータシステムの動作を示すシーケンス図。
【図１２】第５実施形態によるエレベータ制御装置により行き先階登録ボタンの右半分が点灯した状態を示す正面図。
【図１３】第５実施形態によるエレベータ制御装置により、行き先階登録ボタンの右半分と左半分を異なる表示色で点灯させる場合の、（ａ）ボタンに点灯装置を設置した状態を示す正面図、（ｂ）ボタンを点灯した状態を示す正面図。
【発明を実施するための形態】
【０００９】
《第１実施形態》
〈第１実施形態によるエレベータ制御装置を利用したエレベータシステムの構成〉
本発明の第１実施形態によるエレベータ制御装置を利用したエレベータシステムの構成について、図１を参照して説明する。
【００１０】
本実施形態によるエレベータシステム１Ａは、エレベータの乗りかご内に設置されたかご内階床表示器１０と、かご内階床表示器１０の表示制御を行うかご内階床表示制御装置２０と、エレベータの運転状況を監視するとともに各種指令を出力するエレベータ制御装置３０Ａと、乗りかご内に設置されたかご内建物表示器５０と、かご内建物表示器５０の表示制御を行うかご内建物表示制御装置４０Ａとを備える。
【００１１】
かご内階床表示制御装置２０は、信号入力装置２１と、演算処理装置２２と、信号出力装置２３と、異常検出装置２４とを有する。信号入力装置２１および信号出力装置２３はそれぞれ、予め設定された処理対象の情報を１ビットのデータ（“1”または“0”）で記憶する複数のレジスタ（レジスタ＜0＞、レジスタ＜1＞、レジスタ＜2＞・・・）を有する。
【００１２】
信号入力装置２１は、エレベータ制御装置３０Ａから、かご位置情報に該当する階床を表示させるための階床表示指令が入力されると、対応するレジスタ＜0＞のデータを“0”から“1”に変更して記憶する。また、異常検出装置２４からかご内階床表示器１０、かご内階床表示制御装置２０、またはかご内階床表示器１０とかご内階床表示制御装置２０とを接続する通信路に異常が発生したことを示す異常発生信号が入力されると、対応するレジスタ＜1＞のデータを“0”から“1” に変更して記憶する。
【００１３】
演算処理装置２２は、信号入力装置２１のレジスタ＜0＞のデータが“0”から“1”に変化したことを検知すると、信号出力装置２３の対応するレジスタ＜1＞のデータを“0”から“1” に変更して記憶させる。また、信号入力装置２１のレジスタ＜1＞のデータが“0”から“1”に変化したことを検知すると、信号出力装置２３の対応するレジスタ＜0＞のデータを“0”から“1” に変更して記憶させる。
【００１４】
信号出力装置２３は、レジスタ＜0＞のデータが“0”から“1”に変化したことを検知すると、異常検出信号をエレベータ制御装置３０Ａに出力する。また、レジスタ＜1＞のデータが“0”から“1”に変化したことを検知すると、階床表示信号をかご内階床表示器１０に出力する。
【００１５】
異常検出装置２４は、かご内階床表示器１０、かご内階床表示制御装置２０、またはかご内階床表示器１０とかご内階床表示制御装置２０とを接続する通信路で異常が発生するとこれを検出し、異常検出信号を出力する。
【００１６】
エレベータ制御装置３０Ａは、信号入力装置３１Ａと、演算処理装置３２Ａと、信号出力装置３３Ａとを有する。信号入力装置３１Ａおよび信号出力装置３３Ａはそれぞれ、予め設定された処理対象の情報を１ビットのデータ（“1”または“0”）で記憶する複数のレジスタ（レジスタ＜0＞、レジスタ＜1＞、レジスタ＜2＞・・・）を有する。
【００１７】
信号入力装置３１Ａは、かご内階床表示制御装置２０から、異常検出信号が入力されると、対応するレジスタ＜0＞のデータを“0”から“1”に変更して記憶する。
【００１８】
演算処理装置３２Ａは、信号入力装置３１Ａのレジスタ＜0＞のデータが“0”から“1”に変化したことを検知すると、階床表示切替指令に対応するレジスタ＜2＞のデータを“0”から“1”に変更して記憶させる。
【００１９】
信号出力装置３３Ａは、システム稼働中はレジスタ＜0＞のデータを“1”に保持し、対応する階床表示指令をかご内階床表示制御装置２０およびかご内建物表示制御装置４０Ａに出力するとともに、レジスタ＜1＞のデータを“1”に保持し、乗りかご内の利用者へのかご位置情報以外の提供情報を表示させるための建物表示指令をかご内建物表示制御装置４０Ａに出力する。また、レジスタ＜2＞のデータが“0”から“1”に変化したことを検知すると、かご内建物表示器５０に出力させる信号を階床表示信号に切り替えるための階床表示切替信号をかご内建物表示制御装置４０Ａに出力する。
【００２０】
かご内建物表示制御装置４０Ａは、信号入力装置４１Ａと、演算処理装置４２Ａと、信号出力装置４３Ａとを有する。信号入力装置４１Ａおよび信号出力装置４３Ａはそれぞれ、予め設定された処理対象の情報を１ビットのデータ（“1”または“0”）で記憶する複数のレジスタ（レジスタ＜0＞、レジスタ＜1＞、レジスタ＜2＞・・・）を有する。
【００２１】
信号入力装置４１Ａは、エレベータ制御装置３０Ａから、階床表示指令が入力されると、対応するレジスタ＜0＞のデータを“0”から“1”に変更して記憶する。また、建物表示指令が入力されると、対応するレジスタ＜1＞のデータを“0”から“1”に変更して記憶する。また、エレベータ制御装置３０Ａから、階床表示切替指令が入力されると、対応するレジスタ＜2＞のデータを“0”から“1” に変更して記憶する。
【００２２】
演算処理装置４２Ａは、信号入力装置４１Ａのレジスタ＜2＞のデータが“0”のとき（通常時）には信号出力装置４３Ａの対応するレジスタ＜0＞のデータを“1” に保持し、信号入力装置４１Ａのレジスタ＜2＞のデータが“0”から“1”に変化したことを検知すると（異常発生時）、信号出力装置２３のレジスタ＜0＞のデータを“1”から“0” に変更するとともに、レジスタ＜1＞のデータを“0”から“1” に変更して記憶させる。
【００２３】
信号出力装置４３Ａは、レジスタ＜0＞のデータが“1”のときには、建物表示信号をかご内建物表示器５０に出力し、“1”から“0” に変更したことを検知すると、建物表示信号の出力を停止する。また、レジスタ＜1＞のデータが“0”から“1”に変化したことを検知すると、階床表示信号をかご内建物表示器５０に出力する。
【００２４】
〈第１実施形態によるエレベータ制御装置を利用したエレベータシステムの動作〉
本実施形態によるエレベータシステム１Ａの動作について、図２のシーケンス図を参照して説明する。
【００２５】
通常時には、エレベータ制御装置３０Ａからかご内階床表示制御装置２０およびかご内建物表示制御装置４０Ａに、階床表示指令が出力される（Ｓ１）。
【００２６】
かご内階床表示制御装置２０では、エレベータ制御装置３０Ａから階床表示指令が入力されると、階床表示信号がかご内階床表示器１０に出力される（Ｓ２）。
【００２７】
かご内階床表示器１０では、取得された階床表示信号に基づいて、かご位置情報が表示される（Ｓ３）。
【００２８】
かご内建物表示制御装置４０Ａでは、階床表示指令が入力されるが、この時点（通常時）では階床表示信号はかご内建物表示器５０に出力されない。
【００２９】
また通常時には、エレベータ制御装置３０Ａからかご内建物表示制御装置４０Ａに、建物表示指令が出力される（Ｓ４）。
【００３０】
かご内建物表示制御装置４０Ａでは、エレベータ制御装置３０Ａから建物表示指示が入力されると、建物表示信号がかご内建物表示器５０に出力される（Ｓ５）。
【００３１】
かご内建物表示器５０では、取得された建物表示信号に基づいて、乗りかご内の利用者へのかご位置情報以外の提供情報が表示される（Ｓ６）。
【００３２】
次に、かご内階床表示制御装置２０の異常検出装置２４において、かご内階床表示器１０、かご内階床表示制御装置２０、またはかご内階床表示器１０とかご内階床表示制御装置２０とを接続する通信路における異常発生が検出されると、エレベータ制御装置３０Ａに異常検出信号が出力される（Ｓ７）。
【００３３】
エレベータ制御装置３０Ａでは、異常検出信号が入力されると、かご内建物表示制御装置４０Ａに階床表示切替指令が出力される（Ｓ８）。
【００３４】
かご内建物表示制御装置４０Ａでは、エレベータ制御装置３０Ａから階床表示切替指令が取得されると、建物表示信号の出力が停止され、階床表示信号がかご内建物表示器５０に出力されるように切り替えられる（Ｓ９）。
【００３５】
かご内建物表示器５０では、取得された階床表示信号に基づいて、かご位置情報が表示されるように切り替わる（Ｓ１０）。
【００３６】
以上の第１実施形態によれば、エレベータの乗りかご内のかご内階床表示器、かご内階床表示制御装置、またはかご内階床表示制御装置とかご内階床表示機とを接続する通信路に異常が発生したときに、かご内建物表示器にかご位置情報に該当する階床を表示させるように表示を切り替えることで、乗りかご内の利用者に、当該かご位置情報を継続して報知することができ、利用者の利便性を向上させることができる。
【００３７】
《第２実施形態》
〈第２実施形態によるエレベータ制御装置を利用したエレベータシステムの構成〉
本発明の第２実施形態によるエレベータ制御装置を利用したエレベータシステムの構成について図３を参照して説明する。
【００３８】
本実施形態によるエレベータシステム１Ｂの構成は、第１実施形態において説明したエレベータシステム１Ｂの構成と同様であるため、同一機能を有する装置に関する詳細な説明は省略する。
【００３９】
本実施形態においてエレベータ制御装置３０Ｂは、信号入力装置３１Ｂと、演算処理装置３２Ｂと、信号出力装置３３Ｂとを有する。信号入力装置３１Ｂおよび信号出力装置３３Ｂはそれぞれ、予め設定された処理対象の情報を１ビットのデータ（“1”または“0”）で記憶する複数のレジスタ（レジスタ＜0＞、レジスタ＜1＞、レジスタ＜2＞・・・）を有する。
【００４０】
信号入力装置３１Ｂは、かご内階床表示制御装置２０から、異常検出信号が入力されると、対応するレジスタ＜0＞のデータを“0”から“1”に変更して記憶する。
【００４１】
演算処理装置３２Ｂは、信号入力装置３１Ｂのレジスタ＜0＞のデータが“0”から“1”に変化したことを検知すると、信号出力装置３３Ｂの階床表示切替指令に対応するレジスタ＜3＞のデータを“0”から“1”に変更して記憶させる。
【００４２】
信号出力装置３３Ｂは、システム稼動中はレジスタ＜0＞のデータを“1”に保持し、対応する階床表示指令をかご内階床表示制御装置２０およびかご内建物表示制御装置４０Ｂに出力するとともに、レジスタ＜1＞のデータを“1”に保持し、乗りかご内の利用者へのかご位置情報以外の提供情報を表示させるための建物表示指令をかご内建物表示制御装置４０Ｂに出力する。また、レジスタ＜3＞のデータが“0”から“1”に変化したことを検知すると、階床表示指令と建物表示指令とを所定時間ごとに交互にかご内建物表示器５０に出力させるための交互表示指令をかご内建物表示制御装置４０Ｂに出力する。
【００４３】
かご内建物表示制御装置４０Ｂは、信号入力装置４１Ｂと、演算処理装置４２Ｂと、信号出力装置４３Ｂとを有する。信号入力装置４１Ｂおよび信号出力装置４３Ｂはそれぞれ、予め設定された処理対象の情報を１ビットのデータ（“1”または“0”）で記憶する複数のレジスタ（レジスタ＜0＞、レジスタ＜1＞、レジスタ＜2＞・・・）を有する。
【００４４】
信号入力装置４１Ｂは、エレベータ制御装置３０Ｂから、階床表示指令が入力されると、対応するレジスタ＜0＞のデータを“0”から“1”に変更して記憶する。また、建物表示指令が入力されると、対応するレジスタ＜1＞のデータを“0”から“1”に変更して記憶する。また、エレベータ制御装置３０Ｂから、交互表示指令が入力されると、対応するレジスタ＜3＞のデータを“0”から“1” に変更して記憶する。
【００４５】
演算処理装置４２Ｂは、信号入力装置４１Ｂのレジスタ＜3＞のデータが“0”のとき（通常時）には信号出力装置４３Ｂの対応するレジスタ＜0＞のデータを“1” に保持し、信号入力装置４１Ｂのレジスタ＜3＞のデータが“0”から“1”に変化したことを検知すると（異常発生時）、信号出力装置２３のレジスタ＜2＞のデータを“1”から“0” に変更して記憶させる。
【００４６】
信号出力装置４３Ｂは、レジスタ＜2＞のデータが “0”から“1” に変更したことを検知すると、交互表示信号をかご内建物表示器５０に出力する。
【００４７】
〈第２実施形態によるエレベータ制御装置を利用したエレベータシステムの動作〉
本実施形態によるエレベータシステム１Ａの動作について、図４のシーケンス図を参照して説明する。
【００４８】
図４において、ステップＳ１１〜Ｓ１７の処理は、第１実施形態で説明したステップＳ１〜Ｓ７の処理と同様であるため、詳細な説明は省略する。
【００４９】
ステップＳ１７においてエレベータ制御装置３０Ｂに異常検出信号が入力されると、かご内建物表示制御装置４０Ｂに交互表示指令が出力される（Ｓ１８）。
【００５０】
かご内建物表示制御装置４０Ｂでは、エレベータ制御装置３０Ｂから交互表示指令が取得されると、交互表示信号がかご内建物表示器５０に出力されるように切り替えられる（Ｓ１９）。
【００５１】
かご内建物表示器５０では、取得された交互表示信号に基づいて、かご位置情報と提供情報とが所定時間ごとに交互に表示されるように切り替えられる（Ｓ２０）。
【００５２】
以上の第２実施形態によれば、エレベータの乗りかご内のかご内階床表示器、かご内階床表示制御装置、またはかご内階床表示器とかご内階床表示制御装置とを接続する通信路に異常が発生したときに、かご内建物表示器にかご位置情報と、かご位置情報以外の提供情報とを所定時間ごとに交互に表示させるように表示を切り替えることで、乗りかご内の利用者に、当該かご位置情報を継続して報知しつつ提供情報を提供することができ、利用者の利便性を向上させることができる。
【００５３】
《第３実施形態》
〈第３実施形態によるエレベータ制御装置を利用したエレベータシステムの構成〉
本発明の第３実施形態によるエレベータ制御装置を利用したエレベータシステムの構成について図５を参照して説明する。
【００５４】
本実施形態によるエレベータシステム１Ｃは、エレベータの乗りかご内に設置されたかご内階床表示器１０と、かご内階床表示器１０の表示制御を行うかご内階床表示制御装置２０と、エレベータの運転状況を監視するとともに各種指令を出力するエレベータ制御装置３０Ｃと、乗りかご内に設置されたスピーカ７０と、エレベータ制御装置３０Ｃからの指令に基づいてスピーカ７０の音声出力制御を行う音声出力制御装置６０とを備える。
【００５５】
かご内階床表示制御装置２０の構成は、第１実施形態において説明したエレベータシステム１Ａ内のかご内階床表示制御装置２０の構成と同様であるため、詳細な説明は省略する。
【００５６】
エレベータ制御装置３０Ｃは、信号入力装置３１Ｃと、演算処理装置３２Ｃと、信号出力装置３３Ｃとを有する。信号入力装置３１Ｃおよび信号出力装置３３Ｃはそれぞれ、予め設定された処理対象の情報を１ビットのデータ（“1”または“0”）で記憶する複数のレジスタ（レジスタ＜0＞、レジスタ＜1＞、レジスタ＜2＞・・・）を有する。
【００５７】
信号入力装置３１Ｃは、かご内階床表示制御装置２０から、異常検出信号が入力されると、対応するレジスタ＜0＞のデータを“0”から“1”に変更して記憶する。
【００５８】
演算処理装置３２Ｃは、信号入力装置３１Ｃのレジスタ＜0＞のデータが“0”から“1”に変化したことを検知すると、信号出力装置３３Ｃの音声切替指令に対応するレジスタ＜4＞のデータを“0”から“1”に変更して記憶させる。
【００５９】
信号出力装置３３Ｃは、システム稼動中はレジスタ＜0＞のデータを“1”に保持し、対応する階床表示指令をかご内階床表示制御装置２０に出力する。また、レジスタ＜1＞のデータが“0”から“1”に変化したことを検知すると、音声出力指令を音声出力制御装置６０に出力する。
【００６０】
音声出力制御装置６０は、信号入力装置６１と、アナウンス情報取得部６２と、アナウンス情報送信部６３とを有する。信号入力装置６１は、予め設定された処理対象の情報を１ビットのデータ（“1”または“0”）で記憶する複数のレジスタ（レジスタ＜0＞、レジスタ＜1＞、レジスタ＜2＞・・・）を有する。
【００６１】
信号入力装置６１は、エレベータ制御装置３０Ｃから、音声出力指令が入力されると、対応するレジスタ＜0＞のデータを“0”から“1”に変更して記憶する。
【００６２】
アナウンス情報取得部６２は、信号入力装置６１のレジスタ＜0＞のデータが“0”から“1”に変化したことを検知すると、予め保持された、かご位置情報を音声で出力させるためのアナウンス情報を取得する。
【００６３】
アナウンス情報送信部６３は、アナウンス情報取得部６２で取得されたアナウンス情報をスピーカ７０に出力する。
【００６４】
〈第３実施形態によるエレベータ制御装置を利用したエレベータシステムの動作〉
本実施形態によるエレベータシステム１Ｃの動作について、図６のシーケンス図を参照して説明する。
【００６５】
通常時には、エレベータ制御装置３０Ｃからかご内階床表示制御装置２０に、階床表示指令が出力される（Ｓ２１）。
【００６６】
かご内階床表示制御装置２０では、エレベータ制御装置３０Ｃから階床表示指令が入力されると、階床表示信号がかご内階床表示器１０に出力される（Ｓ２２）。
【００６７】
かご内階床表示器１０では、取得された階床表示信号に基づいて、かご位置情報が表示される（Ｓ２３）。
【００６８】
次に、かご内階床表示制御装置２０の異常検出装置２４において、かご内階床表示器１０、かご内階床表示制御装置２０、またはかご内階床表示器１０とかご内階床表示制御装置２０とを接続する通信路における異常発生が検出されると、エレベータ制御装置３０Ｃに異常検出信号が出力される（Ｓ２４）。
【００６９】
エレベータ制御装置３０Ｃでは、異常検出信号が入力されると、音声出力制御装置６０に音声出力指令が出力される（Ｓ２５）。
【００７０】
音声出力制御装置６０では、取得された音声出力指令に基づいて、音声アナウンス情報が取得され、スピーカ７０に出力される（Ｓ２６）。
【００７１】
スピーカ７０では、取得された音声アナウンス情報によりかご位置情報が音声で出力される（Ｓ２７）。
【００７２】
以上の第３実施形態によれば、エレベータの乗りかご内のかご内階床表示器、かご内階床表示制御装置、またはかご内階床表示器とかご内階床表示制御装置とを接続する通信路に異常が発生したときに、乗りかご内に設置されたスピーカから音声アナウンスによりかご位置情報を出力することで、乗りかご内の利用者に、当該かご位置情報を継続して報知することができ、利用者の利便性を向上させることができる。
【００７３】
《第４実施形態》
〈第４実施形態によるエレベータ制御装置を利用したエレベータシステムの構成〉
本発明の第４実施形態によるエレベータ制御装置を利用したエレベータシステムの構成について図７を参照して説明する。
【００７４】
本実施形態によるエレベータシステム１Ｄは、エレベータの乗りかご内に設置されたかご内階床表示器１０と、かご内階床表示器１０の表示制御を行うかご内階床表示制御装置２０と、エレベータの運転状況を監視するとともに各種指令を出力するエレベータ制御装置３０Ｄと、乗りかご内に設置され、各階床（１階〜４階）に対応した１階表示灯９１、２階表示灯９２、３階表示灯９３、および４階表示灯９４を有する館内案内板９０と、館内案内板９０内の表示灯９１〜９４の点灯制御を行う案内板点灯制御装置８０とを備える。
【００７５】
かご内階床表示制御装置２０の構成は、第１実施形態において説明したエレベータシステム１Ａ内のかご内階床表示制御装置２０の構成と同様であるため、詳細な説明は省略する。
【００７６】
エレベータ制御装置３０Ｄは、信号入力装置３１Ｄと、演算処理装置３２Ｄと、信号出力装置３３Ｄとを有する。信号入力装置３１Ｄおよび信号出力装置３３Ｄはそれぞれ、予め設定された処理対象の情報を１ビットのデータ（“1”または“0”）で記憶する複数のレジスタ（レジスタ＜0＞、レジスタ＜1＞、レジスタ＜2＞・・・）を有する。
【００７７】
信号入力装置３１Ｄは、かご内階床表示制御装置２０から、異常検出信号が入力されると、対応するレジスタ＜0＞のデータを“0”から“1”に変更して記憶する。
【００７８】
演算処理装置３２Ｄは、信号入力装置３１Ｄのレジスタ＜0＞のデータが“0” のとき（通常時）には信号出力装置３３Ｄの対応するレジスタ＜5＞のデータを“1” に保持し、信号入力装置３１Ｄのレジスタ＜0＞のデータが“0”から“1”に変化したことを検知すると（異常発生時）、信号出力装置３３Ｄのレジスタ＜5＞のデータを“1”から“0” に変更するとともに、レジスタ＜6＞のデータを“0”から“1” に変更して記憶させる。
【００７９】
信号出力装置３３Ｄは、レジスタ＜5＞のデータが“1”のときには、館内案内板９０内の１階表示灯９１〜４階表示灯９４を全て点灯させるための通常点灯指令を案内板点灯制御装置８０に出力する。また、レジスタ＜5＞のデータが“1”から“0”に変化したことを検知すると、通常点灯指令の出力を停止する。また、レジスタ＜6＞のデータが“0”から“1”に変化したことを検知すると、かご位置情報に対応する階床の表示灯のみを点灯させるための階床点灯指令を案内板点灯制御装置８０に出力する。
【００８０】
案内板点灯制御装置８０は、信号入力装置８１と、演算処理装置８２と、信号出力装置８３とを有する。信号入力装置８１および信号出力装置８３はそれぞれ、予め設定された処理対象の情報を１ビットのデータ（“1”または“0”）で記憶する複数のレジスタ（レジスタ＜0＞、レジスタ＜1＞、レジスタ＜2＞・・・）を有する。
【００８１】
信号入力装置８１は、エレベータ制御装置３０Ｄから通常点灯指令が入力されている間は、１階表示灯９１の点灯に対応するレジスタ＜0＞のデータ、２階表示灯９２の点灯に対応するレジスタ＜1＞のデータ、３階表示灯９３の点灯に対応するレジスタ＜2＞のデータ、および４階表示灯９４の点灯に対応するレジスタ＜3＞のデータを“1”に保持して記憶する。また、エレベータ制御装置３０Ｄから階床点灯指令が入力されると、レジスタ＜0＞〜＜3＞のうち、かご位置情報に該当する階床に対応するレジスタのデータのみを“1”に保持し、他の階床に対応するレジスタのデータを“0”に変更して記憶する。
【００８２】
演算処理装置８２は、信号入力装置８１のレジスタ＜0＞のデータが“1”のときには信号出力装置８３の対応するレジスタ＜0＞のデータを“1”に保持し、信号入力装置８１のレジスタ＜1＞のデータが“1”のときには信号出力装置８３の対応するレジスタ＜1＞のデータを“1”に保持し、信号入力装置８１のレジスタ＜2＞のデータが“1”のときには信号出力装置８３の対応するレジスタ＜2＞のデータを“1”に保持し、信号入力装置８１のレジスタ＜3＞のデータが“1”のときには信号出力装置８３の対応するレジスタ＜3＞のデータを“1”に保持して記憶させる。
【００８３】
信号出力装置８３は、レジスタ＜0＞のデータが“1”のときには、館内案内板９０の１階表示灯９１に点灯信号を出力し、レジスタ＜1＞のデータが“1”のときには、館内案内板９０の２階表示灯９２に点灯信号を出力し、レジスタ＜2＞のデータが“1”のときには、館内案内板９０の３階表示灯９３に点灯信号を出力し、レジスタ＜3＞のデータが“1”のときには、館内案内板９０の４階表示灯９４に点灯信号を出力する。
【００８４】
〈第４実施形態によるエレベータ制御装置を利用したエレベータシステムの動作〉
本実施形態によるエレベータシステム１Ｄの動作について、図８のシーケンス図を参照して説明する。
【００８５】
通常時には、エレベータ制御装置３０Ｄからかご内階床表示制御装置２０に、階床表示指令が出力される（Ｓ３１）。
【００８６】
かご内階床表示制御装置２０では、エレベータ制御装置３０Ｄから階床表示指令が入力されると、階床表示信号がかご内階床表示器１０に出力される（Ｓ３２）。
【００８７】
かご内階床表示器１０では、取得された階床表示信号に基づいて、かご位置情報が表示される（Ｓ３３）。
【００８８】
また通常時には、エレベータ制御装置３０Ｄから案内板点灯制御装置８０に、通常点灯指令が出力される（Ｓ３４）。
【００８９】
案内板点灯制御装置８０では、エレベータ制御装置３０Ｄから通常点灯指令が入力されると、各階床に対応する全ての表示灯９１〜９４を点灯させるための通常点灯信号が館内案内板９０に出力される（Ｓ３５）。
【００９０】
館内案内板９０では、取得された通常点灯信号に基づいて、１階表示灯９１〜４階表示灯９４が全て点灯される（Ｓ３６）。
【００９１】
次に、かご内階床表示制御装置２０の異常検出装置２４において、かご内階床表示器１０、かご内階床表示制御装置２０、またはかご内階床表示器１０とかご内階床表示制御装置２０とを接続する通信路における異常発生が検出されると、エレベータ制御装置３０Ｄに異常検出信号が出力される（Ｓ３７）。
【００９２】
エレベータ制御装置３０Ｄでは、異常検出信号が入力されると、案内板点灯制御装置８０に階床点灯指令が出力される（Ｓ３８）。
【００９３】
案内板点灯制御装置８０では、エレベータ制御装置３０Ｄから階床点灯指令が入力されると、かご位置情報に該当する階床に対応する表示灯のみを点灯させるための階床点灯信号を館内案内板９０に出力するように切り替えられる（Ｓ３８）。
【００９４】
館内案内板９０では、取得された階床点灯信号に基づいて、１階表示灯９１〜４階表示灯９４のいずれかが点灯される（Ｓ４０）。
【００９５】
図９は、館内案内板９０において、取得された階床点灯信号に基づいて、現在のかご位置情報「１階」に該当する表示灯９１が点灯された状態を示す。
【００９６】
以上の第３実施形態によれば、エレベータの乗りかご内のかご内階床表示器、かご内階床表示制御装置、またはかご内階床表示器とかご内階床表示制御装置とを接続する通信路に異常が発生したときに、館内案内板の、かご位置情報に該当する階床に対応する表示灯を点灯させることで、乗りかご内の利用者に、当該かご位置情報を継続して報知することができ、利用者の利便性を向上させることができる。
【００９７】
《第５実施形態》
〈第５実施形態によるエレベータ制御装置を利用したエレベータシステムの構成〉
本発明の第５実施形態によるエレベータ制御装置を利用したエレベータシステムの構成について図１０を参照して説明する。
【００９８】
本実施形態によるエレベータシステム１Ｅは、エレベータの乗りかご内に設置されたかご内階床表示器１０と、かご内階床表示器１０の表示制御を行うかご内階床表示制御装置２０と、エレベータの運転状況を監視するとともに各種指令を出力するエレベータ制御装置３０Ｅと、乗りかご内に設置され、各階床（１階〜４階）を行き先階として登録するための１階ボタン１１１、２階ボタン１１２、３階ボタン１１３、および４階ボタン１１４を有する行き先階登録操作盤１１０と、行き先階登録操作盤１１０内のボタン１１１〜１１４の点灯制御を行うボタン点灯制御装置１００とを備える。
【００９９】
かご内階床表示制御装置２０の構成は、第１実施形態において説明したエレベータシステム１Ａ内のかご内階床表示制御装置２０の構成と同様であるため、詳細な説明は省略する。
【０１００】
エレベータ制御装置３０Ｅは、信号入力装置３１Ｅと、演算処理装置３２Ｅと、信号出力装置３３Ｅとを有する。信号入力装置３１Ｅおよび信号出力装置３３Ｅはそれぞれ、予め設定された処理対象の情報を１ビットのデータ（“1”または“0”）で記憶する複数のレジスタ（レジスタ＜0＞、レジスタ＜1＞、レジスタ＜2＞・・・）を有する。
【０１０１】
信号入力装置３１Ｅは、かご内階床表示制御装置２０から、異常検出信号が入力されると、対応するレジスタ＜0＞のデータを“0”から“1”に変更して記憶する。
【０１０２】
演算処理装置３２Ｅは、信号入力装置３１Ｅのレジスタ＜0＞のデータが“0”から“1”に変化したことを検知すると（異常発生時）、信号出力装置３３Ｅのレジスタ＜7＞のデータを“0”から“1” に変更して記憶させる。
【０１０３】
信号出力装置３３Ｅは、レジスタ＜7＞のデータが“0”から“1”に変化したことを検知すると、かご位置情報に対応する階床のボタンを点灯または点滅させるためのボタン点灯指令をボタン点灯制御装置１００に出力する。
【０１０４】
ボタン点灯制御装置１００は、信号入力装置１０１と、演算処理装置１０２と、信号出力装置１０３とを有する。信号入力装置１０１および信号出力装置１０３はそれぞれ、予め設定された処理対象の情報を１ビットのデータ（“1”または“0”）で記憶する複数のレジスタ（レジスタ＜0＞、レジスタ＜1＞、レジスタ＜2＞・・・）を有する。
【０１０５】
信号入力装置１０１は、エレベータ制御装置３０Ｅからボタン点灯指令が入力されると、レジスタ＜0＞〜＜3＞のうち、かご位置情報に該当する階床に対応するレジスタのデータのみを“1”に保持し、他の階床に対応するレジスタのデータを“0”に変更して記憶する。
【０１０６】
演算処理装置１０２は、信号入力装置８１のレジスタ＜0＞のデータが“1”のときには信号出力装置８３の対応するレジスタ＜0＞のデータを“1”に保持し、信号入力装置８１のレジスタ＜1＞のデータが“1”のときには信号出力装置８３の対応するレジスタ＜1＞のデータを“1”に保持し、信号入力装置８１のレジスタ＜2＞のデータが“1”のときには信号出力装置８３の対応するレジスタ＜2＞のデータを“1”に保持し、信号入力装置８１のレジスタ＜3＞のデータが“1”のときには信号出力装置８３の対応するレジスタ＜3＞のデータを“1”に保持して記憶させる。
【０１０７】
信号出力装置１０３は、レジスタ＜0＞のデータが“1”のときには、行き先階登録操作盤１１０の１階ボタン１１１にボタン点灯信号を出力し、レジスタ＜1＞のデータが“1”のときには、行き先階登録操作盤１１０の２階ボタン１１２にボタン点灯信号を出力し、レジスタ＜2＞のデータが“1”のときには、行き先階登録操作盤１１０の３階ボタン１１３にボタン点灯信号を出力し、レジスタ＜3＞のデータが“1”のときには、行き先階登録操作盤１１０の４階ボタン１１４にボタン点灯信号を出力する。
【０１０８】
行き先階登録操作盤１１０の１階ボタン１１１〜４階ボタン１１４はそれぞれ、右半分を点灯または点滅させる点灯装置と左半分を点灯または点滅させる点灯装置とを備えており、ボタン点灯制御装置１００から取得されたボタン点灯信号に基づいて該当するボタンの右半分が点灯または点滅し、利用者により行き先階登録操作が行われると該当するボタンの左半分が点灯または点滅する。
【０１０９】
〈第５実施形態によるエレベータ制御装置を利用したエレベータシステムの動作〉
本実施形態によるエレベータシステム１Ｅの動作について、図１１のシーケンス図を参照して説明する。
【０１１０】
通常時には、エレベータ制御装置３０Ｅからかご内階床表示制御装置２０に、階床表示指令が出力される（Ｓ４１）。
【０１１１】
かご内階床表示制御装置２０では、エレベータ制御装置３０Ｅから階床表示指令が入力されると、階床表示信号がかご内階床表示器１０に出力される（Ｓ４２）。
【０１１２】
かご内階床表示器１０では、取得された階床表示信号に基づいて、かご位置情報が表示される（Ｓ４３）。
【０１１３】
次に、かご内階床表示制御装置２０の異常検出装置２４において、かご内階床表示器１０、かご内階床表示制御装置２０、またはかご内階床表示器１０とかご内階床表示制御装置２０とを接続する通信路における異常発生が検出されると、エレベータ制御装置３０Ｅに異常検出信号が出力される（Ｓ４４）。
【０１１４】
エレベータ制御装置３０Ｅでは、異常検出信号が入力されると、ボタン点灯制御装置１００にボタン点灯指令が出力される（Ｓ４５）。
【０１１５】
ボタン点灯制御装置１００では、エレベータ制御装置３０Ｅから階床点灯指令が入力されると、かご位置情報に該当する階床に対応する行き先階登録ボタンの右半分を点灯または点滅させるためのボタン点灯信号を行き先階登録操作盤１１０に出力するように切り替えられる（Ｓ４６）。
【０１１６】
行き先階登録操作盤１１０では、行き先階登録操作が行われたボタン全体が点灯される状態から、１階ボタン１１１〜４階ボタン１１４の右半分は、取得されたボタン点灯信号に基づいてかご位置情報に該当する階床が点灯または点滅され、１階ボタン１１１〜４階ボタン１１４の左半分は、通常通りに利用者により行き先登録操作が行われた階床が点灯または点滅される状態に切り替えられる（Ｓ４７）。
【０１１７】
１階ボタン１１１の右半分が、ボタン点灯信号に基づいて斜線で示すように点灯または点滅したときの例を、図１２に示す。
【０１１８】
以上の第５実施形態によれば、エレベータの乗りかご内のかご内階床表示器、かご内階床表示制御装置、またはかご内階床表示器とかご内階床表示制御装置とを接続する通信路に異常が発生したときに、既存の行き先階登録ボタンの一部をかご位置情報に対応させて点灯または点滅させることで、乗りかご内の利用者に、当該かご位置情報を継続して報知することができ、利用者の利便性を向上させることができる。
【０１１９】
上述した第５実施形態においては、行き先階登録操作盤操作内の、かご位置情報に該当するボタンの右半分を点灯または点滅させる場合について説明したが、これには限定されず、当該ボタンの一部、例えばボタンの外縁、中心付近、または左半分等を点灯または点滅させることで、かご位置情報を報知するようにしてもよい。この場合、利用者により操作された行き先階ボタンは、かご位置情報に対応して点灯または点滅した部分と異なる他の部分を点灯または点滅させる。
【０１２０】
また、上述した第５実施形態において、かご位置情報に対応する階床の行き先階登録ボタンの一部を点灯または点滅させるときには、利用者により操作された行き先階の行き先階登録ボタンの他の一部を点灯または点滅させるときとは、異なる点灯色で点灯または点滅させるようにしてもよい。
【０１２１】
例えば図１３（ａ）に示すように、１階ボタン１１１の右半分を点灯または点滅させる点灯装置に、図１３（ａ）に示すように行き先階を点灯させる際に用いる通常点灯色板ｖとボタン点灯信号に基づいて点灯または点滅させる際に用いる変更点灯色板ｚとを設置しておき、取得した信号の内容によって用いる点灯色板を切り替えることにより、色調を変更することが可能になる。
【０１２２】
１階ボタン１１１の右半分が、ボタン点灯信号に基づいて、通常色とは異なる色調で点灯または点滅したときの例を図１３（ｂ）に示す。
【０１２３】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【０１２４】
１Ａ、１Ｂ、１Ｃ、１Ｄ、１Ｅ  エレベータシステム
１０  かご内階床表示器
２０  かご内階床表示制御装置
２１  信号入力装置
２２  演算処理装置
２３  信号出力装置
２４  異常検出装置
３０Ａ、３０Ｂ、３０Ｃ、３０Ｄ、３０Ｅ  エレベータ制御装置
３１Ａ、３１Ｂ、３１Ｃ、３１Ｄ、３１Ｅ  信号入力装置
３２Ａ、３２Ｂ、３２Ｃ、３２Ｄ、３２Ｅ  演算処理装置
３３Ａ、３３Ｂ、３３Ｃ、３３Ｄ、３３Ｅ  信号出力装置
４０Ａ、４０Ｂ  かご内建物表示制御装置
４１Ａ、４１Ｂ  信号入力装置
４２Ａ、４２Ｂ  演算処理装置
４３Ａ、４３Ｂ  信号出力装置
５０  かご内建物表示器
６０  音声出力制御装置
６１  信号入力装置
６２  アナウンス情報取得部
６３  アナウンス情報送信部
７０  スピーカ
８０  案内板点灯制御装置
８１  信号入力装置
８２  演算処理装置
８３  信号出力装置
９０  館内案内板
９１  １階表示灯
９２  ２階表示灯
９３  ３階表示灯
９４  ４階表示灯
１００  ボタン点灯制御装置
１０１  信号入力装置
１０２  演算処理装置
１０３  信号出力装置
１１０  行き先階登録操作盤
１１１  １階ボタン
１１２  ２階ボタン
１１３  ３階ボタン
１１４  ４階ボタン
【図１】
2015168501.tif 000003
【図２】
2015168501.tif 000004
【図３】
2015168501.tif 000005
【図４】
2015168501.tif 000006
【図５】
2015168501.tif 000007
【図６】
2015168501.tif 000008
【図７】
2015168501.tif 000009
【図８】
2015168501.tif 000010
【図９】
2015168501.tif 000011
【図１０】
2015168501.tif 000012
【図１１】
2015168501.tif 000013
【図１２】
2015168501.tif 000014
【図１３】
2015168501.tif 000015
【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
エレベータの乗りかご内に設置された、階床ごとの行き先階登録ボタンの半分を点灯させる第１の点灯装置と、前記行き先階登録ボタンの他の半分を点灯させる第２の点灯装置とに接続されたエレベータ制御装置において、
前記かご内階床表示器での異常が検出されると、前記第１の点灯装置により、前記乗りかごの位置情報に対応する階床の行き先階登録ボタンの半分を所定の点灯色で点灯させつつ、前記第２の点灯装置により、利用者により操作された階床の行き先階登録ボタンの他の半分を他の点灯色で点灯させるように切り替える処理部
ことを特徴とするエレベータ制御装置。
【手続補正２】
【補正対象書類名】明細書
【補正対象項目名】０００７
【補正方法】変更
【補正の内容】
【０００７】
上記目的を達成するための実施形態によれば、階床ごとの行き先階登録ボタンの半分を点灯させる第１の点灯装置と、前記行き先階登録ボタンの他の半分を点灯させる第２の点灯装置とに接続されたエレベータ制御装置は、処理部を備える。処理部は、かご内階床表示器での異常が検出されると、第１の点灯装置により、乗りかごの位置情報に対応する階床の行き先階登録ボタンの半分を所定の点灯色で点灯させつつ、第２の点灯装置により、利用者により操作された階床の行き先階登録ボタンの他の半分を他の点灯色で点灯させるように切り替える。